【事件の表示】
　特願２０１４−　４９３８８「充電装置及びバッテリー装置」拒絶査定不服審判事件〔平成２６年　９月２９日出願公開、特開２０１４−１８３７３７〕について、次のとおり審決する。
【結　論】
　本件審判の請求は、成り立たない。
【理　由】
第１　手続の経緯
　本願は、平成２６年３月１２日（パリ条約による優先権主張　２０１３年３月１５日　米国（ＵＳ）　２０１３年８月３０日　韓国（ＫＲ））に出願したものであって、手続の概要は以下のとおりである。
　拒絶理由通知　　　　　　　：平成２８年１２月　１日（起案日）
　意見書　　　　　　　　　　：平成２９年　３月　６日
　手続補正　　　　　　　　　：平成２９年　３月　６日
　拒絶査定　　　　　　　　　：平成２９年　４月２４日（起案日）
　拒絶査定不服審判請求　　　：平成２９年　８月　４日
　手続補正　　　　　　　　　：平成２９年　８月　４日
　上申書　　　　　　　　　　：平成２９年１１月１５日
　上申書（意見）　　　　　　：平成２９年１２月２２日
　上申書（面接希望）　　　　：平成２９年１２月２２日
　上申書　　　　　　　　　　：平成３０年　２月１６日
　面接　　　　　　　　　　　：平成３０年　８月２０日
第２　平成２９年８月４日付けの手続補正についての補正却下の決定
［補正却下の決定の結論］
　平成２９年８月４日付けの手続補正を却下する。
［理由］
１．本件補正
　平成２９年８月４日付けの手続補正（以下「本件補正」という。）は、特許請求の範囲についてするもので、請求項１については、本件補正前に、
「　【請求項１】
　バッテリーを充電する少なくとも二つの充電器を有する充電部と、
　前記バッテリーは互いに並列連結された少なくとも二つのバッテリー群を含み、前記少なくとも二つのバッテリー群のそれぞれは互いに直列連結された少なくとも二つのバッテリーセルとを含み、
　前記少なくとも二つの充電器のそれぞれは、電源供給器から電源を受信し、前記少なくとも二つのバッテリー群のうち対応する一つのバッテリー群に属する前記少なくとも二つのバッテリーセルのうち対応する一つのバッテリーセルを充電する、充電装置。」
とあったところを、
本件補正後、
「　【請求項１】
　
電源を供給する電源供給器と、
　バッテリーを充電する少なくとも二つの充電器を有する充電部と、
　
を含み、
　前記バッテリーは互いに並列連結された少なくとも二つのバッテリー群を含み、前記少なくとも二つのバッテリー群のそれぞれは互いに直列連結された少なくとも二つのバッテリーセ
ルを
　
前記電源供給器は、電源を無線伝送する少なくとも二つの送電コイルを含み、
　前記少なくとも二つの充電器のそれぞれは、
前記
の前記少なくとも二つの送電コイルと一対一に対応して設けられ、対応する送電コイルから無線伝送される電
する受電コイルを含み
とするものである。
２．補正の適否
　補正前の請求項１における「電源供給器」は、「少なくとも二つの充電器のそれぞれは、電源供給器から電源を受信」することを特定するために記載されているに過ぎず、「充電装置」を構成する要素としては記載されていないのに対し、補正後の請求項１における「電源供給器」は、「充電装置」を構成する要素として記載されている。すなわち、請求項１において、「充電装置」を構成する要素としては記載されていなかった「電源供給器」が、補正により、「充電装置」を構成する要素として記載されることとなった。
　したがって、本件補正は発明特定事項を限定する特許請求の範囲の減縮を目的とするものとは認められない。また、請求項の削除、誤記の訂正、明りょうでない記載の釈明のいずれにも該当しない。
　なお、審判請求書において、請求人は、平成２９年３月６日付けの手続補正により、「電源を供給する電源供給器」が誤って削除されたので、この誤記を訂正する補正を行った旨主張している。
　しかしながら、同手続補正により、同手続補正前の請求項１（出願時の請求項１）における、充電器の動作に関する記載の「前記電源供給器」から「前記」が削除されており、「電源を供給する電源供給器」が誤って削除されたことが明らかであるとはいえず、誤記の訂正を目的とする旨の主張は採用できない。
３．本件補正についてのむすび
　以上のとおりであるから、本件補正は、特許法第１７条の２第５項の規定に違反するので、同法第１５９条第１項において読み替えて準用する同法第５３条第１項の規定により却下すべきものである。
第３　本願発明について
１．本願発明
　平成２９年８月４日付けの手続補正は、上記のとおり却下されたので、本願の請求項１ないし１４に係る発明は、平成２９年３月６日付けの手続補正により補正された特許請求の範囲の請求項１ないし１４に記載された事項により特定されるものであるところ、請求項１０に係る発明（以下「本願発明」という。）は、次のとおりのものである。
「　【請求項１０】
　互いに並列連結された少なくとも二つのバッテリー群を含み、且つ前記少なくとも二つのバッテリー群のそれぞれは互いに直列連結された少なくとも二つのバッテリーセルを含むバッテリー装置を充電する充電装置であって、
　少なくとも二つの充電器を有し、
　前記少なくとも二つの充電器のそれぞれは、外部の電源供給器から伝達された電源を受信し、前記少なくとも二つのバッテリー群のうち対応する一つのバッテリー群に属する前記少なくとも二つのバッテリーセルのうち対応する一つのバッテリーセルを充電する、充電装置。」
２．引用例
　原査定の拒絶の理由に引用された登録実用新案第３１６９４４２号公報（平成２３年７月２８日発行、以下「引用例」という。）には、図面と共に、以下の記載がある。（なお、下線は当審で付与した。）
（１）「【００１１】
図１を参照し、それは、本考案のシステムブロック図であり、本考案の
充電装置は、電源回路１と、複数の充電ユニット２ａ〜２ｎと、
から構成され、
該電源回路１は、
個別に各充電ユニット２ａ〜２ｎが必要な電源を提供し、
（２）「【００１２】
該複数の充電ユニット２ａ〜２ｎは、単一又は複数の電池３ａ〜３ｎに接続することに用いることができ、それに対し充電し、
該複数の充電ユニット２ａ〜２ｎは、全直列、全並列又は直並列混合式を自由に構成することができ、
全直列、全並列又は直並列電池に対応することができ、
　上記摘示事項及び図面の記載から以下のことがいえる。
（ａ）引用例には、「充電装置」が記載されている（摘示事項（１））。
（ｂ）充電装置は、電源回路と、複数の充電ユニットと、から構成される（摘示事項（１））。
（ｃ）該電源回路は、個別に各充電ユニットが必要な電源を提供する（摘示事項（１））。
（ｄ）該複数の充電ユニットは、単一又は複数の電池に接続することに用いることができ、それに対し充電する。該複数の充電ユニットは、全直列、全並列又は直並列混合式を自由に構成することができ、全直列、全並列又は直並列電池に対応することができる（摘示事項（２））。
　以上を総合勘案すると、引用例には、次の発明（以下「引用発明」という。）が記載されているものと認める。
「電源回路と、複数の充電ユニットと、から構成される充電装置であって、
　該電源回路は、個別に各充電ユニットが必要な電源を提供し、
　該複数の充電ユニットは、単一又は複数の電池に接続することに用いることができ、それに対し充電し、
　該複数の充電ユニットは、全直列、全並列又は直並列混合式を自由に構成することができ、全直列、全並列又は直並列電池に対応することができる、充電装置。」
３．対比
　そこで、本願発明と引用発明とを対比する。
（１）充電装置
　引用発明の充電装置を構成する複数の充電ユニットは、単一又は複数の電池に接続することに用いることができ、それに対し充電する。そして、該複数の充電ユニットは、直並列混合式を構成することができ、直並列電池に対応することができる。
　したがって、本願発明と引用発明とは、「バッテリー装置を充電する充電装置」である点で一致する。
　もっとも、「バッテリー装置」について、本願発明は、「互いに並列連結された少なくとも二つのバッテリー群を含み、且つ前記少なくとも二つのバッテリー群のそれぞれは互いに直列連結された少なくとも二つのバッテリーセルを含むバッテリー装置」との特定があるのに対し、引用発明は、「直並列電池」との特定しかない点で相違する。
（２）充電器
　引用発明の充電装置は、複数の充電ユニットから構成されるから、本願発明と引用発明とは、「少なくとも二つの充電器」を有する点で一致する。
（３）充電器の詳細
　引用発明の充電装置は、電源回路が、個別に各充電ユニットが必要な電源を提供する。そして、複数の充電ユニットは、単一の電池に対し充電する。
　したがって、本願発明と引用発明とは、「前記少なくとも二つの充電器のそれぞれは、電源供給器から伝達された電源を受信し、一つのバッテリーセルを充電する」点で一致する。
　もっとも、「電源供給器」について、本願発明は、「外部の電源供給器」であるのに対し、引用発明は、「電源回路」が「充電装置」を構成する要素である点で相違する。
　また、「少なくとも二つの充電器のそれぞれが充電する一つのバッテリーセル」について、本願発明は、「前記少なくとも二つのバッテリー群のうち対応する一つのバッテリー群に属する前記少なくとも二つのバッテリーセルのうち対応する一つのバッテリーセル」との特定があるのに対し、引用発明は、「直並列電池」の「単一の電池」との特定しかない点でも相違する。
　そうすると、本願発明と引用発明とは、次の点で一致する。
＜一致点＞
「バッテリー装置を充電する充電装置であって、
　少なくとも二つの充電器を有し、
　前記少なくとも二つの充電器のそれぞれは、電源供給器から伝達された電源を受信し、一つのバッテリーセルを充電する、充電装置。」の点。
　そして、次の点で相違する。
＜相違点＞
（１）「バッテリー装置」について、本願発明は、「互いに並列連結された少なくとも二つのバッテリー群を含み、且つ前記少なくとも二つのバッテリー群のそれぞれは互いに直列連結された少なくとも二つのバッテリーセルを含むバッテリー装置」との特定があるのに対し、引用発明は、「直並列電池」との特定しかない点。
（２）「電源供給器」について、本願発明は、「外部の電源供給器」であるのに対し、引用発明は、「電源回路」が「充電装置」を構成する要素である点。
（３）「少なくとも二つの充電器のそれぞれが充電する一つのバッテリーセル」について、本願発明は、「前記少なくとも二つのバッテリー群のうち対応する一つのバッテリー群に属する前記少なくとも二つのバッテリーセルのうち対応する一つのバッテリーセル」との特定があるのに対し、引用発明は、「直並列電池」の「単一の電池」との特定しかない点。
４．判断
　そこで、上記各相違点について検討する。
相違点（１）及び（３）について
　複数のバッテリーセルを直列に接続したものを並列に接続したバッテリーは周知である（例えば、原査定の拒絶の理由に引用された特開２０１２−２３９３２６号公報の【００１９】及び【図１】、国際公開第２０１０／０７９５６３号の［００３５］ないし［００３６］及び［図１］参照）から、引用発明において、「直並列電池」の具体的な構成として、複数のバッテリーセルを直列に接続したものを並列に接続したバッテリーを採用して、上記相違点（１）及び（３）の構成とすることは、当業者が適宜為し得る。
相違点（２）について
　引用例には、「該電源回路１は、複数の出力端を有し、それぞれ該複数の充電ユニット２ａ〜２ｎに接続し、個別に各充電ユニット２ａ〜２ｎが必要な電源を提供し」（摘示事項（１））との記載もあり、電源回路が個別に各充電ユニットが必要な電源を提供し得るように「電源回路」と「複数の充電ユニット」とが接続されていれば、「電源回路」と「複数の充電ユニット」とが同一の筐体に納められている必要はないと考えられるから、引用発明において、「電源回路」を「外部の電源回路」として、相違点（２）の構成とすることは、当業者が適宜為し得る。
　また、明細書に記載された本願発明が奏する効果についてみても、本願発明の構成のものとして当業者であれば予測し得る程度のものに過ぎず、格別顕著なものがあるとは認められない。
５．むすび
　以上のとおり、本願の請求項１０に係る発明は、引用例に記載された発明及び周知の技術的事項に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。